(57)【要約】【課題】簡単な着用・取り外しが可能で、簡単、安価に製造でき、使い勝手が良いワンタッチネクタイ。【解決手段】逆三角形状で背面側に左右に並列する２つの上下方向貫通孔部（９、１０）を有する芯体部（２）、スライドファスナーを構成する務歯（３）が一側縁の一端（４）から他端（５）にわたって配備されている一本のテープ素材（６）、ネクタイの小剣部（７）及び大剣部（８）からなる。上下方向貫通孔部（９、１０）を上側から下側に向かって挿通したテープ素材（６）の務歯（３）がすべり金具（１２）によって閉じられ、閉じた務歯部（１３）が形成されているテープ素材（６）の一端（４）及び他端（５）に小剣部（７）の基端（７ａ）を接続し、芯体部（２）の前面の突起（１６）に大剣部（８）の基端（８ａ）を接続する。すべり金具（１２）が務歯部（１３）を上下方向に移動することを防止するロック機構が、すべり金具（１２）に基端側を中心として先端側が上下方向に回動自在に取り付けられている引手（１２ｄ）に備えられている。【選択図】図５
2015030932.tif 000002
【特許請求の範囲】
【請求項１】
逆三角形状で、背面側に、左右に並列する２つの上下方向貫通孔部を供えている芯体部と、
スライドファスナーを構成する務歯が一側縁の一端から他端にわたって配備されている一本のテープ素材と、
ネクタイの小剣部と、
ネクタイの大剣部とからなり、
人間の首に装着されるネクタイであって、
前記テープ素材の一端と他端とが、前記務歯が配備されている一側縁を互いに対向させて、前記芯体部の２つの上下方向貫通孔部を上側から下側に向かってそれぞれ挿通することにより、前記テープ素材の前記芯体部の２つの上下方向貫通孔部の上側に残る部分が無端の首装着部を形成し、
前記２つの上下方向貫通孔部を上側から下側に向かって挿通した前記テープ素材の前記務歯がすべり金具によって閉じられて、前記テープ素材の前記一端及び他端にまでわたる閉じた務歯部が形成され、
閉じた務歯部が形成されている前記テープ素材の前記一端及び他端に前記ネクタイの小剣部の基端が接続され、
前記芯体部の前面の上端側に前記ネクタイの大剣部の基端が接続され、
前記芯体部の背面に形成されている係合部に前記すべり金具が備えている係合孔が係止され、
前記すべり金具が前記務歯部を前記上下方向に移動することを防止するロック機構が、前記すべり金具に基端側を中心として先端側が前記上下方向に回動自在に取り付けられている引手に備えられている
ことを特徴とするワンタッチネクタイ。
【発明の詳細な説明】
【技術分野】
【０００１】
この発明はネクタイに関し、特に、首回りの大きさに関係なく、誰でも簡単に着用し、はずすことができるネクタイに関する。
【背景技術】
【０００２】
ネクタイは、１枚の繊維素材からなる細長状のものであって、一方の端部は幅広で、人間の首に着用した際に前方に現れる「前の垂れ（大剣）」と呼ばれ、他方の端部は幅が狭く、人間の首に着用した際に「前の垂れ（大剣）」の後ろに隠れる「背の垂れ（小剣）」と呼ばれる。
【０００３】
従来、ネクタイは、着用するたびごとに結び部を形成して人間の首に着用し、はずすときには、結び部を解いていた。そこで、着用、取り外しに複雑で不便であるという問題があった。また、人間の首に着用した際に前方に現れる「前の垂れ（大剣）」の部分の長さを所定の長さにすることが難しいという問題点があった。
【０００４】
そこで、従来から、このような問題の解決を目指して、ネクタイを、一方の幅広の端部で人間の首に着用した際に前方に現れる「前の垂れ（大剣）」と、他方の幅狭の端部で人間の首に着用した際に「前の垂れ（大剣）」の後ろに隠れる「背の垂れ（小剣）」とに分離し、結び具を利用して結びを簡単にし、簡単な着用・取り外しを可能にした「結び具を備えたネクタイ」が開発され普及している（特許文献１、２、３）。
【０００５】
また、本願出願人は、簡単な着用・取り外しを可能にする「結び具を備えたネクタイ」であって、より簡単、安価に製造、提供できるワンタッチネクタイを提案している（特許文献４）。
【先行技術文献】
【特許文献】
【０００６】
【特許文献１】実開平５−３７９１５号公報
【特許文献２】登録実用新案第３０２３８０１号公報
【特許文献３】特開平１１−１５８７１６号公報
【特許文献４】特開２００９−２４９７６５号公報
【発明の概要】
【発明が解決しようとする課題】
【０００７】
前述した特許文献４記載の発明によって、簡単な着用・取り外しを可能にする「結び具を備えたネクタイ」であって、より簡単、安価に製造、提供できるワンタッチネクタイを提供することができたが、使用勝手を良くする、等の面において改善する余地が残っていた。
【０００８】
この発明は、ネクタイを、一方の幅広の端部で人間の首に着用した際に前方に現れる「前の垂れ（大剣）」と、他方の幅狭の端部で人間の首に着用した際に「前の垂れ（大剣）」の後ろに隠れる「背の垂れ（小剣）」とに分離し、結び具を利用して結びを簡単にし、簡単な着用・取り外しを可能にしたネクタイであって、より簡単、安価に製造、提供することができ、更に、より使用しやすさが向上しているネクタイを提供することを目的にしている。
【課題を解決するための手段】
【０００９】
前記目的を達成するため、この発明が提案するネクタイは以下の通りのものである。
【００１０】
逆三角形状で、背面側に、左右に並列する２つの上下方向貫通孔部を供えている芯体部と、
スライドファスナーを構成する務歯（ティース）が一側縁の一端から他端にわたって配備されている一本のテープ素材と、
ネクタイの小剣部と、
ネクタイの大剣部とからなり、
人間の首に装着されるネクタイであって、
前記テープ素材の一端と他端とが、前記務歯（ティース）が配備されている一側縁を互いに対向させて、前記芯体部の２つの上下方向貫通孔部を上側から下側に向かってそれぞれ挿通することにより、前記テープ素材の前記芯体部の２つの上下方向貫通孔部の上側に残る部分が無端の首装着部を形成し、
前記２つの上下方向貫通孔部を上側から下側に向かって挿通した前記テープ素材の前記務歯（ティース）がすべり金具によって閉じられて、前記テープ素材の前記一端及び他端にまでわたる閉じた務歯（ティース）部が形成され、
閉じた務歯（ティース）部が形成されている前記テープ素材の前記一端及び他端に前記ネクタイの小剣部の基端が接続され、
前記芯体部の前面の上端側に前記ネクタイの大剣部の基端が接続され、
前記芯体部の背面に形成されている係合部に前記すべり金具が備えている係合孔が係止され、
前記すべり金具が前記務歯部を前記上下方向に移動することを防止するロック機構が、前記すべり金具に基端側を中心として先端側が前記上下方向に回動自在に取り付けられている引手に備えられている
ことを特徴とするワンタッチネクタイ。
【発明の効果】
【００１１】
この発明によれば、ネクタイを、一方の幅広の端部で人間の首に着用した際に前方に現れる「前の垂れ（大剣）」と、他方の幅狭の端部で人間の首に着用した際に「前の垂れ（大剣）」の後ろに隠れる「背の垂れ（小剣）」とに分離し、結び具を利用して結びを簡単にし、簡単な着用・取り外しを可能にしたネクタイであって、より簡単、安価に製造、提供することができ、更に、より使用しやすさが向上しているネクタイを提供することができる。
【図面の簡単な説明】
【００１２】
【図１】人間の首に装着される状態になっている本発明のネクタイの正面図。
【図２】芯体部に大剣部が取り付けられていない状態における本発明のネクタイを表す図であって、（ａ）は正面図、（ｂ）は背面図。
【図３】本発明のネクタイに採用されている芯体部と、テープ素材の位置関係を説明する一部を省略し、一部を拡大して表す分解斜視図。
【図４】芯体部に大剣部が取り付けられ、結び部が形成されていない状態における本発明のネクタイを表す一部を省略した正面図。
【図５】（ａ）は、ロック機構が作用していて、すべり金具が上下方向に移動できない状態の務歯部を背面側から表した一部を省略した図、（ｂ）はロック状態を解除し、すべり金具が上下方向に移動できるようになっている状態の務歯部を背面側から表した一部を省略した図、（ｃ）は、図５（ｂ）の状態の一部を省略した側面図、（ｄ）は、図５（ａ）図示のロック機構が作用している状態を説明する一部を省略した側面図。
【発明を実施するための形態】
【００１３】
以下、添付図面を参照して本発明の好ましい実施形態を説明する。
【００１４】
図１に図示する本発明のネクタイ１は、芯体部２と、一本のテープ素材６と、ネクタイの小剣部７と、ネクタイの大剣部８とからなり、人間の首に装着されるものである。
【００１５】
芯体部２は、図３の上側に図示したように逆三角形状で、背面側に、左右に並列する２つの上下方向貫通孔部９、１０を備えている。
【００１６】
テープ素材６は、スライドファスナーを構成する務歯（ティース）３が一側縁の一端４から他端５にわたって配備されているものである。
【００１７】
テープ素材６の一端４と他端５とが、図２（ａ）、（ｂ）図示のように、務歯（ティース）３が配備されているテープ素材６の一側縁を互いに対向させて、芯体部２の２つの上下方向貫通孔部９、１０を上側から下側に向かってそれぞれ挿通することにより、テープ素材６の芯体部２の２つの上下方向貫通孔部９、１０の上側に残る部分が無端の首装着部１１を形成する。
【００１８】
２つの上下方向貫通孔部９、１０を上側から下側に向かって挿通したテープ素材６の務歯（ティース）３は、図３の下側に図示したように、すべり金具１２によって閉じられて、テープ素材６の一端４及び他端５にまでにわたる閉じた務歯（ティース）部１３が形成される（図２（ａ）、（ｂ））。
【００１９】
閉じた務歯（ティース）部１３が形成されているテープ素材６の一端４及び他端５に、ネクタイの小剣部７の基端７ａが接続される（図２（ａ）、（ｂ））。
【００２０】
すべり金具１２が務歯部１３を上下方向に移動することを防止するロック機構が、すべり金具１２に基端側を中心として先端側が上下方向に回動自在に取り付けられている引手１２ｄに備えられている。
【００２１】
図５（ａ）は、務歯部１３を背面側から表した一部を省略した図であり、前述したロック機構が作用していて、すべり金具１２が上下方向に移動できない状態になっているものである。図５（ｄ）は、図５（ａ）図示のロック機構が作用している状態を説明する一部を省略した側面図である。
【００２２】
図５（ｂ）は、図５（ａ）、図５（ｄ）図示の状態から、矢印２１（図５（ｄ））で示すように、引手１２ｄをその基端側を中心として先端側を上方向に回動させ、ロック状態を解除し、すべり金具１２が上下方向に移動できるようになっている状態を表す図である。図５（ｃ）は、図５（ｂ）の状態の一部を省略した側面図である。
【００２３】
すべり金具１２の前面側１２ａには、係合孔１２ｃが形成されている。この係合孔１２ｃが、芯体部２の背面に形成されている係合部１５（図２（ｂ））に係止される。
【００２４】
すべり金具１２の背面側１２ｂには、図５（ａ）〜（ｄ）に表されているように、図中、左右に並んで上下方向に並行して延びるフック部１２ｅ、１２ｆが形成されている。
【００２５】
引手１２ｄはその下端側（基端側）で、前述したフック部１２ｅ、１２ｆに対応する位置に、前述したフック部１２ｅ、１２ｆに対応する大きさ、形状の掛合孔１２ｇ、１２ｈを備えている。
【００２６】
そして、引手１２ｄの下端側（基端側）が、その掛合孔１２ｇ、１２ｈを介して、すべり金具１２のフック部１２ｅ、１２ｆに遊嵌されている。
【００２７】
これにより、引手１２ｄが、すべり金具１２に対して、引手１２ｄの基端側を中心として、先端側が矢印２１（図５（ｄ））、矢印２０（図５（ｃ））で示すように、上下方向に回動自在に取り付けられている。
【００２８】
そして、引手１２ｄの掛合孔１２ｇと、掛合孔１２ｈとの間には、掛止突起１２ｉが形成されている（図５（ｂ））。
【００２９】
図５（ｂ）、図５（ｃ）図示の状態から、引手１２ｄを、その基端側を中心として、先端側を、矢印２０（図５（ｃ））で示すように下方向に向けて回転させると、掛止突起１２ｉは、すべり金具１２の背面側１２ｂの下端側に形成されている掛止穴１４内に入り込み（図５（ｄ））、固定される。
【００３０】
これによって、図５（ａ）、図５（ｄ）図示の状態となり、ロック機構が作用して、すべり金具１２は、務歯部１３を上下方向に移動できなくなる。
【００３１】
なお、すべり金具１２の背面側１２ｂの下端側に形成されている掛止穴１４は、矢印２０、２１方向に回動する掛止突起１２ｉの移動をスムーズにならしめるべく、幅広凹部１４ａを備えている。矢印２０方向に回動してきた掛止突起１２ｉは、幅広凹部１４ａを通って、掛止穴１４内に入り込み、掛止穴１４内で固定される。
【００３２】
一方、図５（ａ）、図５（ｄ）図示の状態から、引手１２ｄを、その基端側を中心として、先端側を、矢印２１（図５（ｄ））で示すように上方向に向けて回転させると、掛止突起１２ｉは、すべり金具１２の下端側に形成されている掛止穴１４から外れて、外に出て、図５（ｂ）、図５（ｃ）図示の状態となり、ロック機構は解除されて、すべり金具１２は、務歯部１３を上下方向に移動できるようになる。
【００３３】
芯体部２の前面の上端側には、図３の上側に図示したように、突起１６が形成されている。この突起１６に、図４図示のように、ネクタイの大剣部８の基端８ａが接続されることによって、芯体部２の前面の上端側にネクタイの大剣部８の基端８ａが接続されている。
【００３４】
この発明のネクタイ１を人の首に装着する場合には、まず、芯体部２の逆三角形状の形状を利用し、大剣部８を芯体部２に巻きつけて、芯体部２と大剣部８とにより、図１に符号１７で示されているようにネクタイの結び目を形成しておく。
【００３５】
次いで、人間の頭を首装着部１１の中に通し、首装着部１１をワイシャツなどの襟首の後ろに掛けまわす。
【００３６】
そして、すべり金具１２及び、すべり金具１２が掛合されている芯体部２を矢印１８方向に移動させることによって首装着部１１の周長を大きくする、あるいは矢印１９方向に移動させることによって首装着部１１の周長を小さくする。こうして、首装着部１１の周長を、ネクタイ１を装着する首の太さに合わせる。
【００３７】
この場合、前述したように、ネクタイの結び目１７は、図１図示のように、予め形成されているので、人間の首に着用した際に前方に現れる「前の垂れ（大剣）」の部分の長さに変動を生じさせることなく、首装着部１１の周長を大きくしたり、小さくすることができる。
【００３８】
このように本発明のネクタイ１は、首装着部１１を人間の首に装着し、すべり金具１２及び、芯体部２を矢印１８あるいは矢印１９方向に移動させるだけで簡単に装着することのできるワンタッチネクタイである。
【００３９】
なお、テープ素材６の一端４と他端５とが、図２（ａ）、（ｂ）図示のように、務歯（ティース）３が配備されているテープ素材６の一側縁を互いに対向させて、芯体部２の２つの上下方向貫通孔部９、１０を上側から下側に向かってそれぞれ挿通しているので、矢印１８あるいは矢印１９方向に、すべり金具１２及び、芯体部２をスムーズに移動させることができる。
【００４０】
また、上述したようにして、ネクタイ１を人の首に装着した後、図５（ｂ）、図５（ｃ）図示の状態から、引手１２ｄを、その基端側を中心として、先端側を、矢印２０（図５（ｃ））で示すように下方向に向けて回転させ、掛止突起１２ｉを、すべり金具１２の下端側に形成されている掛止穴１４内に押し込んで図５（ａ）、図５（ｄ）図示の状態にして、ロック機構を作用させることにより、すべり金具１２が自由に務歯部１３を上下方向移動できなくさせ、無端の首装着部１１の長さが不用意に長くなることを防止できる。
【００４１】
一方、無端の首装着部１１の長さを長くしたい場合には、図５（ａ）、図５（ｄ）図示の状態から、引手１２ｄを、その基端側を中心として、先端側を、矢印２１（図５（ｄ））で示すように上方向に向けて回転させ、掛止突起１２ｉを、すべり金具１２の下端側に形成されている掛止穴１４から外し、図５（ｂ）、図５（ｃ）図示の状態にしてロック機構を解除し、すべり金具１２が、自由に務歯部１３を上下方向に移動できるようにして、簡単に、長さ調整することができる。
【００４２】
前述した芯体部２は、たとえば、合成樹脂製とすることができ、図３の上側に図示したように、前面の上端側に、ネクタイの大剣部８の基端８ａが接続される突起１６を形成し、図２（ｂ）に図示したように、背面に、すべり金具１２の前面側１２ａに形成されている係合孔１２ｃが係止される係合部１５を形成する。
【００４３】
このように、本発明のネクタイ１は、逆三角形状で、背面側に、左右に並列する２つの上下方向貫通孔部９、１０を備えている芯体部２と、スライドファスナーを構成する務歯（ティース）３が一側縁の一端４から他端５にわたって配備されている一本のテープ素材６と、ネクタイの小剣部７と、ネクタイの大剣部８とからなるだけであり、前述したように合成樹脂製の芯体部２を準備し、芯体部２の２つの上下方向貫通孔部９、１０を上側から下側に向かって挿通したテープ素材６の務歯（ティース）３を閉じるすべり金具１２によって閉じた務歯（ティース）部１３が形成されているテープ素材６の前記一端４及び他端５に、ネクタイの小剣部７の基端７ａを接続し、芯体部２の前面の上端側に形成されている突起１６にネクタイの大剣部８の基端８ａを接続するだけで提供することができる。
【００４４】
そこで、芯体部２を利用して結びを簡単にし、簡単な着用・取り外しを可能にし、簡単、安価に製造、提供できるワンタッチネクタイを提供できる。
【００４５】
また、上述したロック機構を作用させたり、解除することにより、ネクタイ１を人の首に装着した後、すべり金具１２が自由に務歯部１３を上下方向移動できなくさせて無端の首装着部１１の長さが不用意に長くなることを防止し、あるいは、すべり金具１２が自由に務歯部１３を上下方向に移動できるようにして、簡単に、無端の首装着部１１の長さを調整することができ、使い勝手のよいワンタッチネクタイを提供することができる。
【符号の説明】
【００４６】
１  ネクタイ
２  芯体部
３  務歯（ティース）
４  テープ素材一側縁の一端
５  テープ素材一側縁の他端
６  テープ素材
７  ネクタイの小剣部
７ａ  ネクタイの小剣部の基端
８  ネクタイの大剣部
９、１０    上下方向貫通孔部
１１    無端の首装着部
１２    すべり金具
１３    閉じた務歯（ティース）部
１２ａ  すべり金具の前面側
１２ｂ  すべり金具の背面側
１２ｃ  係合孔  
１２ｄ    引手
１２ｅ、１２ｆ  フック部
１２ｇ、１２ｈ  掛合孔
１２ｉ  掛止突起
１４  掛止穴
１５  係合部
１６  芯体部の全面の上側に形成されている突起
１７  ネクタイの結び目
【図１】
2015030932.tif 000003
【図２】
2015030932.tif 000004
【図３】
2015030932.tif 000005
【図４】
2015030932.tif 000006
【図５】
2015030932.tif 000007